(57)【要約】【課題】打開操作が簡単で携帯に便利的であるようにする。【解決手段】細長い管状ケーシング１を有し、その細長い管状ケーシング１には密封端２と開口端３とを有し、流体４が前記の細長い管状ケーシング１の密封端２近傍に密封され、内部添付打開機構５が細長い管状ケーシング１の内部に配設され、内部添付打開機構５の所在する箇所またはその近傍で細長い管状ケーシング１を押し詰めまたは折り曲げると流体４が前記の細長い管状ケーシング１の打開端３より釈放される。
2006511408.tif 000002
【特許請求の範囲】
【請求項１】
密封端と開口端とを有する細長い管状のケーシングと、
前記の密封端に近接して前記の細長い管状のケーシング内に密封される流体と、
前記の細長い管状のケーシングの内部に置き入れられ、且つ流体を細長い管状のケーシング内に密封し、操作される場合に、その細長い管状のケーシングの内部に収納される流体を釈放することができるようにした、内部添付打開機構と、
を備えることを特徴とする、
内部添付打開機構有密封容器。
【請求項２】
前記の内部添付打開機構には、円柱体と、その円柱体と離脱可能な細長い突出物とを備え、その円柱体の外径が前記の細長い管状のケーシングの内径とほぼ同じになるように設定され、且つ細長い管状のケーシング内の流体の保存箇所より前記の細長い管状のケーシングの開口端部までは、流体の流動経路を形成し、且つ前記の細長い突出物が円柱体の流体に近接する端部より伸び出され、それによって流体の流動経路を封止するようにしたことを特徴とする、
請求項１に記載の内部添付打開機構有密封容器。
【請求項３】
前記の内部添付打開機構には、中空の円柱体を有し、且つ前記の流体に向かう開口端部を備え、且つ細長い部材を有する密封端を備え、且つ前記の細長い部材が中空の円柱体より細長い管状のケーシングの開口端部まで延伸され、且つ前記の中空の円柱体において破れやすい断面が配設され、その位置が前記の中空の円柱体の密封端部に近接するように設定したことを特徴とする、
請求項１に記載の内部添付打開機構有密封容器。
【請求項４】
前記の内部添付打開機構には、変形可能なコップ状物が配設されることを特徴とする、
請求項１に記載の内部添付打開機構有密封容器。
【請求項５】
前記の内部添付打開機構には、変形可能な球体のものを備えることを特徴とする、
請求項１に記載の内部添付打開機構有密封容器。
【請求項６】
前記の内部添付打開機構には、切り裂き部に塞がれる塞がり部材を有し、その塞がり部材には一つまたは複数の孔部を有し、その孔部が前記の塞がり部材のそれぞれの端部より前記の切り裂き部を延伸貫通し、且つ塞がり部材の他の端部より貫通することはなく、また、前記の管状ケーシングにおける前記の塞がり部材の位置する箇所またはその近傍の部分を湾曲加工後に、その塞がり部材が前記の切り裂き部で分裂され、且つ一本または一本以上の流体の流動経路を形成し、流体をその管状のケーシングの開口端部までガイドするようにしたことを特徴とする、
請求項１に記載の内部添付打開機構有密封容器。
【請求項７】
前記の塞がり部材として、ツイストされる場合に、分裂または打開されるようになるような打開装置を使用し、その打開装置の箇所近傍にその管状のケーシングをツイストすると、その流体の流動経路を打開させることができるようにしたことを特徴とする、
請求項６に記載の内部添付打開機構有密封容器。
【請求項８】
前記の内部添付打開機構には、円柱状部材と細長状部材とを含み、その円柱状部材のウエスト部の外径が小径に形成され、また、その二つの末端部が前記の管状のケーシングの内径とほぼ相同に形成され、また、前記の円柱状部材には軸方向の穿孔が形成され、流体の存在する箇所より管状のケーシングの開口端部までの流体の流動経路を形成させ、その細長状部材が前記の管状のケーシングの密封端部に固定され、且つ円柱状部材内の穿孔まで延伸され、円柱状部材の穿孔と流体の流動経路とを密封し、円柱状部材の存在する箇所またはその近傍の部分を折り曲げ、または前記の管状のケーシングより取り出す場合では、その細長状の部材が円柱状の部材内の穿孔と分離し、前記の穿孔と前記の流体の流動経路を打開させるようにしたことを特徴とする、
請求項１に記載の内部添付打開機構有密封容器。
【請求項９】
前記の内部添付打開機構には二つの円形の皿状物同士を有し、その横断面がほぼ管状のケーシングの内径と同じように設定され、その厚さが前記の管状のケーシングの内部へ滑り込むことを防止できる程度に設定され、且つ前記の二つの円形の皿状物同士にはすべて一つまたはそれ以上の穿孔が形成され、且つ二つの円形の皿状物同士を前記の管状のケーシング中に位置決めさせ、且つ相互に当接させ、それらの二つの円形の皿状物同士内の穿孔を、他の円形の皿状物に覆われるように設定し、二つの円形の皿状物の存在する箇所またはその近傍の前記の管状のケーシングの部分を折り曲げる場合に、その管状のケーシングが変形され、変形される管状のケーシングが二つの円形の皿状物同士を分離させることができ、流体の流動経路を形成させることができるようにしたことを特徴とする、
請求項１に記載の内部添付打開機構有密封容器。
【請求項１０】
前記の管状のケーシングをツイストすることによって、前記の二つの円形の皿状物同士を分離させるようにしたことを特徴とする、
請求項９に記載の内部添付打開機構有密封容器。
【請求項１１】
前記の内部添付打開機構には、円柱状部材を有し、その長さが前記の管状ケーシングの内部へ回り込まれるようになることを防止する程度に設定され、その円柱状部材が二つの半分の部分に分けられるように対角に沿って分割され、対角における切り裂きを形成させ、その対角切り裂きにおいては薄片が設けられ、その薄片によって円柱状部材の対角切り裂きを封止し、且つその管状ケーシング内の流体を円柱状部材の背面部に密封し、前記の管状のケーシングを押し詰める場合に、前記の円柱状部材が圧縮され、その円柱状部材の二つの半部部分が相互に滑走して一体になるように当接され、そのことによって円柱状部材の断面を縮小し、且つ円柱状部材の外側と管状ケーシングの内壁部との間に流体の流動経路を形成させ、流体を管状のケーシングより釈放させるようにしたことを特徴とする、
請求項１に記載の内部添付打開機構有密封容器。
【請求項１２】
前記の内部添付打開機構には応用部材はが配設され、その中段部分の直径が管状のケーシングの内径とほぼ同じように設定され、その応用部材の第一の末端部には、二分岐部が形成され、取っ手状に形成され、その二分岐部が力を受けて圧迫されることができ、前記の応用部材の第二の末端部の幅方向の断面が前記の管状ケーシングの内径より小さく形成され、且つ第二の末端部から二分岐部までは、その第一の末端部での接合箇所近傍において切り裂き部が形成され、その管状のケーシングを押し詰めることによって二分岐部を圧着接合させることができ、その応用部材が縦方向に沿って二つの半部分に分裂させることができるとともに、その応用部材を貫通する流体の流動経路を形成させ、流体を管状のケーシングより釈放させるようにしたことを特徴とする、
請求項１に記載の内部添付打開機構有密封容器。
【請求項１３】
前記の内部添付打開機構には、細長いコップ状物を有し、その径が前記の管状のケーシングの内径とほぼ同じになるように設定され、且つその長さがその径より大きくなるように設定され、その細長いコップ状物には封止端を有し、その尾端部には細長い突出物を有し、且つその細長い突出物においては、一回りの切り裂き線が形成され、その位置の設定機能が細長い突出物が切れる際にその細長いコップ状物の密閉端部に開口を形成し、前記の細長いコップ状物を前記の管状ケーシングの内部に差し込むことによって、管状のケーシングの内方の流体を密封し、また、その位置を細長いコップ状物の密閉端部近傍に形成させる場合に、その管状のケーシングを折り曲げる際に、その細長い突出物がその切り裂き線の箇所において細長いコップ状物を分裂させ、流体の流動経路を形成し、流体を管状のケーシングより釈放するようにしたことを特徴とする、
請求項１に記載の内部添付打開機構有密封容器。
【請求項１４】
密閉端と開口端を有する細長い管状のケーシングと、
前記の密閉端に固定される細長い部材と、
前記の細長い管状のケーシングの内部の前記の密封端に近接する部分に封止される流体と、
前記の細長い管状のケーシングの内部に置き入れられ、流体をその細長い管状のケーシングの内部に密封し、操作される場合に、細長い管状のケーシング内の流体を釈放可能に設定される内部添付打開機構と、
からなることを特徴とする、
内部添付打開機構有密封容器。
【請求項１５】
前記の内部添付打開機構には、円柱体と、その円柱体より分離可能な細長い突出物とを有し、その円柱体の外径が前記の細長い管状のケーシングの内径とほぼ同じになるように設定され、且つ細長い管状のケーシングの内部の流体の存在する箇所から前記の細長い管状のケーシングの開口端部まで、流体の流動経路を形成し、また、前記の細長い突出物が円柱体の流体に近接する端部より伸び出され、流体の流動経路を密封できるようにしたことを特徴とする、
請求項１４に記載の内部添付打開機構有密封容器。
【請求項１６】
前記の内部添付打開機構には、中空状の円柱体と、流体の存在する箇所へ向かわれる開口端と、細長い部材が配設されている密封端を有し、その細長い部材が前記の中空状の円柱体より細長い管状ケーシングの開口端まで延伸され、且つその中空状円柱体においては、破れやすい断面が配設され、その位置が前記の中空状円柱体の密封端近傍に位置するように設定されることを特徴とする、
請求項１４に記載の内部添付打開機構有密封容器。
【請求項１７】
前記の内部添付打開機構には変形可能なコップ状物を有することを特徴とする、
請求項１４に記載の内部添付打開機構有密封容器。
【請求項１８】
前記の内部添付打開機構には、変形可能な球体のものを有することを特徴とする、
請求項１４に記載の内部添付打開機構有密封容器。
【請求項１９】
前記の内部添付打開機構には、切り裂き部において切り裂くことができる塞がり部材を有し、当該塞がり部材には一つまたは複数の孔部が形成され、それらの孔部が前記の塞がり部材のそれぞれの端部より前記の切り裂き部を貫通するように延伸形成されるが、前記の塞がり部材の他端部までは貫通されていなく、前記の塞がり部材の存在する箇所またはその近傍においては前記の管状ケーシングを折り曲げる場合では、前記の塞がり部材が前記の切り裂き部の箇所で切り裂くようになり、且つ一つまたは複数の流体の流動経路を形成し、流体を管状ケーシングの開口端まで案内するようにしたことを特徴とする、
請求項１４に記載の内部添付打開機構有密封容器。
【請求項２０】
前記の塞がり部材として、ツイストされる場合に切り裂きまたは打開されるようになる打開装置を好適に使用でき、その打開装置の箇所では、その管状のケーシングをツイストすると、その流体の流動経路を打開できるように設定したことを特徴とする、
請求項１９に記載の内部添付打開機構有密封容器。
【請求項２１】
前記の内部添付打開機構には円柱状部材と細長状部材とを有し、前記の円柱状部材のウエスト部の外径が縮径され、その二つの末端部の仕様が前記の管状のケーシングの内径とほぼ同じになるように設定され、且つその円柱状部材には軸方向の穿孔が配設され、それによって流体の存在する箇所より管状のケーシングの開口端までの流体の流動経路を形成し、また、前記の細長状部材が前記の管状ケーシングの密封端に固定され、且つ円柱状部材内の穿孔に延伸され、円柱状部材の穿孔と流体の流動経路とを密封し、円柱状部材の存在する箇所またはその近傍では、管状のケーシングを折り曲げまたは取り出す場合に、前記の細長い部材が円柱状部材内の穿孔と分離し、その穿孔と流体の流動経路を打開させるようにしたことを特徴とする、
請求項１４に記載の内部添付打開機構有密封容器。
【請求項２２】
前記の内部添付打開機構には、二つの円形の皿状物同士を有し、それらの横断面が前記の管状ケーシングの内径とほぼ同じように設定され、且つその厚さが管状ケーシングの内部に滑り込むことのない程度に設定され、且つそれらの二つの円形の皿状物同士においてはすべて一つまたは複数の穿孔が形成され、且つ二つの円形の皿状物同士を前記の管状のケーシングの中に位置決めさせるとともに、相互に当接させ、二つの円形の皿状物の内部の穿孔が他の円形の皿状物によって覆われるように設定し、それらの二つの円形の皿状物同士の存在する箇所またはその近傍で、前記の管状ケーシングを折り曲げる場合に、その管状ケーシングが変形されると、それらの二つの円形の皿状物同士を分離させるように作用でき、流体の流動経路を形成させるようにしたことを特徴とする、
請求項１４に記載の内部添付打開機構有密封容器。
【請求項２３】
前記の二つの円形の皿状物同士の分離が前記の管状ケーシングをツイストすることによって実行されるようにしたことを特徴とする、
請求項２２に記載の内部添付打開機構有密封容器。
【請求項２４】
前記の内部添付打開機構には、円柱状部材を有し、その長さが管状のケーシングの内部に回り込まれることを防止できるように設定され、且つその円柱状部材が対角に沿って二つの半分部分に分割され、対角に沿う切り裂きを形成させ、その対角切り裂きにおいては薄片が配設され、それによって円柱状部材の対角に沿う切り裂きを封止し、且つ管状ケーシング内の流体を円柱状部材の背面部に密封し、その管状ケーシングを押し付ける場合に、その円柱状部材が圧縮される場合に、その円柱状部材の二つの半分部分が相互に滑走して一体になるように当接され、延長状部材の断面を縮減するように作用し、円柱状部材の外側と管状部材のケーシングの内壁部との間に流体の流動経路を形成させ、流体を前記の管状ケーシングより釈放させるように設定したことを特徴とする、
請求項１４に記載の内部添付打開機構有密封容器。
【請求項２５】
前記の内部添付打開機構には応用部材を有し、その応用部材の中間段落部分の径が前記の管状ケーシングの内径とほぼ同じように設定され、その応用部材の第一の末端部には二分岐部を有し、取っ手状を呈し、その二分岐部が力を受けて圧着されることができ、前記の応用部材の第二の末端部がその横断面が前記の管状ケーシングの内径より小さくなるように設定され、且つその第二の末端部から前記の二分岐部まで、その第一の末端部の接合箇所の近傍に切り裂き部が形成され、管状ケーシングを押し付けることによって前記の二分岐部を圧着接合させることができ、且つ前記の応用部材が縦方向に沿って二つの半分部分に分けられることができ、且つ応用部材を貫通する流体の流動経路を形成させ、流体を管状ケーシングより釈放させるように設定したことを特徴とする、
請求項１４に記載の内部添付打開機構有密封容器。
【請求項２６】
前記の内部添付打開機構には、細長いコップ状物を有し、その径が管状のケーシングの内径とほぼ同じになるように設定され、且つその長さが直径より大きくなるように設定され、且つ封止端を有し、その尾端部には細長い突出物を有し、且つその細長い突出物には一回りの切り裂き線が形成され、その位置の機能は、細長い突出物が切れる場合に、その細長いコップ状物の封止端に開口が形成され、前記の細長いコップ状物を管状のケーシングの内部に差し込むことによって、管状ケーシング内の流体を密封し、その細長いコップ状物の封止端近傍で、その管状ケーシングを折り曲げる場合に、前記の細長い突出物がその切り裂き線の箇所で細長いコップ状物より切り裂き、流体の流動経路を形成させ、流体を管状ケーシングより釈放させるようにしたことを特徴とする、
請求項１４に記載の内部添付打開機構有密封容器。
【請求項２７】
密封端と開口端とを有する細長い管状ケーシングと、
前記の密閉端に固定される細長い部材と、
前記の細長い管状ケーシング内に密封されるとともに、その密封端近傍に収納される流体と、
細長い部材を有し、その細長い部材が細長い管状ケーシングの内部に収納され、それによって細長い管状ケーシング内における流体を密封し、且つその細長い部材が前記の細長い管状ケーシングの開口端まで延伸され、それを操作することによって、流体を管状のケーシングより釈放させるように設定した、内部添付打開機構と、
を有することを特徴とする、
内部添付打開機構有密封容器。
【請求項２８】
前記の内部添付打開機構には、円柱体とその円柱体と分離可能な細長い突出物とを有し、その円柱体の外径が細長い管状ケーシングの内径とほぼ同じに設定され、且つ細長い管状ケーシング内の流体の存在する箇所から前記の細長い管状のケーシングの開口端まで、流体の流動経路を形成させ、また、その細長い突出物が円柱体の流体に近接する端部より伸び出させ、その流体の流動経路を密封させるようにしたことを特徴とする、
請求項２７に記載の内部添付打開機構有密封容器。
【請求項２９】
前記の内部添付打開機構には、中空状の円柱体と、流体に向かう開口端と、細長い部材を有する密封端とを有し、その細長い部材が中空状の円柱体より細長い管状ケーシングの開口端まで延伸され、且つその中空状の円柱体において破れやすい断面が形成され、且つその位置が前記の中空状円柱体の密封端に近接するように設定されるようにしたことを特徴とする、
請求項２７に記載の内部添付打開機構有密封容器。
【請求項３０】
前記の内部添付打開機構には、変形可能なコップ状物を有することを特徴とする、
請求項２７に記載の内部添付打開機構有密封容器。
【請求項３１】
前記の内部添付打開機構には、変形可能な球体のものを有することを特徴とする、
請求項２７に記載の内部添付打開機構有密封容器。
【請求項３２】
前記の内部添付打開機構には、切り裂き部において切り裂くことができる塞がり物を有し、その塞がり物には一つまたは一つ以上の孔部を有し、その孔部が前記の塞がり物のそれぞれの端部より切り裂き部まで貫通延伸されるが、前記の塞がり物の他端部より貫通させないように設定し、また、その塞がり物の存在する箇所またはその近傍で前記の管状ケーシングを折り曲げる後に、前記の塞がり物がその切り裂き部で切り裂き、且つ一つまたは複数の流体流動経路を形成させ、流体を管状ケーシングの開口端まで案内するようにしたことを特徴とする、
請求項２７に記載の内部添付打開機構有密封容器。
【請求項３３】
前記の塞がり物がツイストされる際に、分裂してまたは打開されることができ、その打開装置の部位でその管状のケーシングをツイストする場合に、その流体の流動経路を打開させることができるようにしたことを特徴とする、
請求項３２に記載の内部添付打開機構有密封容器。
【請求項３４】
前記の内部添付打開機構には、円柱状部材と細長い部材を有し、その円柱状部材のウエスト部の外径が縮減され、その二つの末端部が前記の管状ケーシングの内径とほぼ同じように設定され、且つその円柱状部材においては、軸方向の穿孔が形成され、流体の存在する箇所より管状ケーシングの開口端までの流体の流動経路を形成させ、且つその細長い部材が前記の管状ケーシングの密封端に固定され、且つ円柱状部材内の穿孔まで延伸され、円柱状部材の穿孔と流体の流動経路とを密封し、その円柱状部材の存在する部位でまたはその近傍で前記の管状のケーシングを折り曲げまたは取り出す場合に、その細長い部材が円柱状部材内の穿孔と分離でき、その穿孔とその流体の流動経路を打開させるようにしたことを特徴とする、
請求項２７に記載の内部添付打開機構有密封容器。
【請求項３５】
前記の内部添付打開機構には、二つの円形の皿状物同士を有し、その横断面が管状ケーシングの内径とほぼ同じになるように設定され、且つその厚さが管状ケーシングの内部に滑り込むことができない程度に設定され、且つそれらの二つの円形の皿状物にはすべて一つまたは一つ以上の穿孔が形成され、且つ二つの円形の皿状物同士を管状ケーシング内に位置決めさせるとともに、相互に当接させ、二つの円形の皿状物同士内の穿孔が他の円形の皿状物に覆われるように設定し、それらの二つの円形の皿状物同士の存在する箇所またはその近傍で、その管状ケーシングを折り曲げて変形させる場合に、二つの円形の皿状物同士に分離させることができ、流体の流通経路を形成させることができるようにしたことを特徴とする、
請求項２７に記載の内部添付打開機構有密封容器。
【請求項３６】
前記の二つの円形の皿状物同士の分かれることが前記の管状ケーシングをツイストすることによって達成されることを特徴とする、
請求項３５に記載の内部添付打開機構有密封容器。
【請求項３７】
前記の内部添付打開機構には、円柱状部材を有し、その長さが前記の管状ケーシングの内部に回り込まれるように防止できる程度に設定され、その円柱状部材が対角に沿って二つの半分部分になるように分割され、対角に沿った切り裂きを形成させ、その対角に沿った切り裂きの中では、薄片が配設され、それによって円柱状部材の対角に沿った切り裂きを封止し、且つ管状のケーシングの内部の流体を円柱状部材の背面部に密封し、前記の管状ケーシングを押し詰める場合に、その円柱状部材が圧縮され、その円柱状部材の二つの半分の部分が相互に滑走して一体になるように当接され、円柱状部材の断面を減少するように作用し、且つ円柱状部材の外側とその管状ケーシングの内壁部との間に、流体の流動経路を形成させ、その流体を管状のケーシングより釈放させるようにしたことを特徴とする、
請求項２７に記載の内部添付打開機構有密封容器。
【請求項３８】
前記の内部添付打開機構には、応用部材を有し、その中央段落近傍の径が管状ケーシングの内径とほぼ同じになるように設定され、その応用部材の第一の末端部には二分岐部を有し、取っ手状に形成され、前記の二分岐部が押し付けられるように設定され、その応用部材の第二の末端部が、その横断面が管状ケーシングの内径より小さく形成され、且つ前記の第二末端部から前記の二分岐部まで、前記の第一の末端部の接合箇所近傍では、切り裂き部が形成され、その管状ケーシングを押し詰めることによって前記の二分岐部を圧着接合でき、その応用部材が縦方向に沿って二つの半分部分となるように切り裂くようになり、且つその応用部材を貫通する流体の流動経路を形成させて流体を管状ケーシングより釈放するようにしたことを特徴とする、
請求項２７に記載の内部添付打開機構有密封容器。
【請求項３９】
前記の内部添付打開機構には、細長いコップ状物を有し、その径が管状ケーシングの内径とほぼ同じになるように設定され、且つその長さがその径より長く設定され、また、前記の細長いコップ状物には封止端を有し、その尾端部には細長い突出物が形成され、且つその細長い突出物においては一回りの切り裂き線が形成され、その位置の機能は、前記の細長い突出物が切れた場合に、その細長いコップ状物の封止端において開口が形成され、前記の細長いコップ状物を前記の管状ケーシングの内部に差し込むことによって管状ケーシング内の流体を密封し、その細長いコップ状物の封止端部の近傍で、前記の管状ケーシングを折り曲げる場合に、その細長い突出物が切り裂き線の箇所で細長いコップ状物より切り裂き、流体の流動経路を形成し、流体を管状ケーシングより釈放するようにしたことを特徴とする、
請求項２７に記載の内部添付打開機構有密封容器。
【発明の詳細な説明】
【技術分野】
【０００１】
本発明は、内部添付打開機構有密封容器に係わり、特に打開装置を介して容器内に密封される流体を容器の外部へ釈放するような内部添付打開機構有密封容器に関するものである。
【背景技術】
【０００２】
さて、密閉容器のことは、普段は、それぞれ異なるタイプの打開装置によって打開されるものであり、それらの打開装置の類型については、大部分がネジ山を有する蓋体や係止機能を有する蓋体などを好適に採用するものであり、あるものには、破れやすい封止ストリップまたは刻み線条が配設され、それらのような容器の封止ストリップや刻み線条などを破れさせると、容器内に収納される内容物を釈放できるようになる。しかしながら、すべての打開装置がすべて容器の外部に付着されるように処理されるものであり、例えば、ネジ山を有する蓋体や係止機能を有する蓋体などがそれらの例であり、即ち、容器の外部に付着されるもののほうが多くあり、且つ容器の一部となり、前記の容器上における破れやすい封止ストリップや刻み線条などのものも同じような状態になっている。そのため、容器内に打開装置を添付するもののほうがまだ世に見られていないものであり、また、そのように設計しても、密閉容器内の流体を完全に釈放させることができる。他に、横断面が小さいほうの小型の細長い容器のことを言うと、強い機能を有しつつ、構造が簡単に設計される打開装置のものがマーケットにおいては乏しいものであると認められている。
【発明の開示】
【発明が解決しようとする課題】
【０００３】
本発明は、流体を管状のケーシングの中に密封し、使用者は打開装置を操作するだけで前記の流体を前記の管状ケーシングの外部へ釈放できるようにした、内部添付打開機構有密封容器を提供することをその主要な解決しようとする課題とする。
【０００４】
また、本発明は、操作が簡単的であり、且つ組立が容易的であり、且つ携帯には便利的であることなどの多くの優れる点を有する内部添付打開機構有密封容器を提供することをその第二の解決しようとする課題とする。
【課題を解決するための手段】
【０００５】
前記のそれぞれの目的を達成するために、本発明による内部に打開装置を有する細長い容器は、その打開装置は全体が前記の容器の中に置き入れられ、且つその容器内に収納される流体を釈放でき、また、前記の内部添付打開装置の操作は、その打開装置の存在する箇所またはその近傍で前記の細長い密封容器を折り曲げまたは押し詰めることなどの操作を実行できる。もし、前記の内部に添付される打開装置が打開される場合では、その細長い密封容器内の流体を釈放させて使用に供することができる。細長い密封容器の横断面が小さいほうに属する場合では、容器内の流体の表面張力の作用によって釈放できなくなるので、ガイド部材を配設して流体の表面張力の毛細作用を克服することによってその課題を解消でき、細長い密封容器より流体を釈放させることができる。他に、すべての部材が全部容器内に密封され、いずれのばらばらになったものはないように処理されている。
【０００６】
次に、本発明の優れる実施の形態を詳細的に説明することと添付図面を参照することとによって、本発明の技術的内容とその目的とその効果とをさらにご了解させるように詳しく説明する。
【発明を実施するための最良の形態】
【０００７】
図１は、内部添付打開機構有密封容器の第一の実施の形態を示す説明図であり、この実施の形態においては、その内部添付打開機構を有する密封容器には、細長い管状ケーシング１を有し、その細長い管状ケーシング１には密封端２と開口端３とを有し、且つある流体４が前記の細長い管状ケーシング１の前記の密封端２近傍に密封されている。且つある内部添付打開機構５が細長い管状ケーシング１の内部に配設され、且つ前記の流体４を前記の細長い管状ケーシング１内に密封する。前記の内部添付打開機構５にかかわる操作は、その内部添付打開機構５の所在する箇所またはその近傍で、その細長い管状ケーシング１を押し詰めまたは折り曲げることによって流体４を前記の細長い管状ケーシング１の打開端３より釈放させるものである。
【０００８】
図２に示すように、前記の細長い管状ケーシング１については、その横断面が小さいほうに属する場合では、前記の流体４が表面張力の影響を受け、単にその打開機構５を打開するだけでは、その細長い管状ケーシング１内の流体４を釈放できないので、あるガイド部材６，７を利用して流体４の表面張力の毛細作用を克服する必要があり、それらの操作と原理によって細長い管状ケーシング１内の流体４を釈放させるものである。
【０００９】
図３は、内部添付打開機構有密封容器の第三の実施の形態を示す説明図であり、その中では、前記の内部添付打開機構５には、円柱体８を有し、その外径が前記の細長い管状ケーシング１の内径とほぼ同じになるように設定され、その細長い管状ケーシング１の流体経路が、開口端３から流体４までの間にあり、且つその流体４の末端に近接する箇所には細長い突出物９を有し、その径が内部添付打開機構５の円柱体８の径より小さく設定され、且つ前記の内部添付打開機構５の円柱体８と分かれることができる。また、前記の細長い突出物９が前記の円柱体８内の小量の流体の経路を密封し、細長い管状ケーシング１内の流体４が前記の内部添付打開機構５より釈放されるようになることを防止する機能を有する。前記の細長い管状ケーシング１が、その細長い突出物９と内部添付打開機構５の円柱体８との接合面の近傍が折り曲げられる場合に、細長い突出物９が円柱体８と別れ、小量の流体の経路を暴露させ、流体４を細長い管状ケーシング１より、打開機構５の円柱体８を介して釈放される。
【００１０】
図４は、内部添付打開機構有密封容器の第四の実施の形態を示す説明図であり、この具体的な実施の形態においては、細長く、折り曲げ可能な管状ケーシング１を備え、その横断面がかなりちいさく、且つ密封端２と開口端３を有し、ある流体４が、前記の細長い管状ケーシング１の密封端２近傍に密封され、ある内部添付打開機構５が前記の細長い管状ケーシング１の内部に配設され、且つ流体４を前記の細長い管状ケーシング１内に密封する。また、前記の内部添付打開機構５には、中空状の円柱体１０を有し、且つ流体に向かう開口端１１を有し、且つ細長い部材１２を具備する密封端を有している。前記の細長い部材１２が中空状の円柱体１０より細長い管状ケーシング１の開口端３まで延伸するものであり、且つ細長い管状ケーシング１の開口端３近傍で端部を形成する。ある破れやすい断面１３が前記の中空状円柱体１０の密封端近傍に位置し、それとして例えば刻み痕を形成してもよい。
【００１１】
管状ケーシング１が前記の打開機構５の中空状円柱体１０の破れやすい断面１３またはその近傍で折り曲げられる場合に、その中空状円柱体１０の密封端が中空状円柱体１０の開口端３と分かれ、流体４から中空状円柱体１０の開口端３までの貫通される流体経路を形成する。前記の細長い管状ケーシング１の横断面がかなり小さいため、流体４が表面張力の影響を受け、自分で前記の管状ケーシング１より流れ出ることができなくなり、そのため、操作者はそれらの流体４を管状ケーシング１より釈放させるかのことを自己の意思にしたって選択操作できる。もし、それらの流体４を釈放しようとする場合では、前記の流体４を収納する管状ケーシング１の部分を押し詰めることによって流体４を強引に細長い部材１２へ流れさせ、流体４が細長い部材１２に流される場合、前記の細長い部材１２が流体４の毛細作用を強化し、管状ケーシング１内の流体４の表面着力を克服し、それらを管状ケーシング１外へ流出させることができる。
【００１２】
また、管状ケーシング１の密封端２なら円柱体１０の開口端１１まで、第二の細長い部材１４を固定してもよく、図５に示すように、流体４の表面張力を克服するように作用し、流体４を毛細現象に影響されないように処理し、流体４が打開機構５が打開後に、即刻に管状ケーシング１より釈放されることができる。
【００１３】
図６は、内部添付打開機構有密封容器の第六の実施の形態であり、この実施の形態においては、前記の内部添付打開機構５には、閉経可能なコップ状物１５を備え、その径が前記の管状ケーシング１の内径とほぼ同じように設定され、且つその長さがその径より長く設定され、また、前記の変形可能なコップ状物１５が管状ケーシング１内に差し込まれ、且つ管状ケーシング１内の流体を密封でき、図７に示すように、そのコップ状物１５の存在する箇所またはその近傍で前記の管状ケーシング１を折り曲げまたは押し詰めると、前記の変形可能なコップ状物１５がその操作につれて変形され、且つ流体４の流動経路を形成し、流体４がその管状ケーシング１より釈放されることができるようになっている。他に、前記の変形可能なコップ状物として変形可能な球体によって取り替えることができ、例えば、プラスチック製中空球体などを使用でき、その径と管状ケーシングの直径とがほぼ同じになるように設定されている。また、変形可能な球体の存在する箇所またはその近傍で前記の管状ケーシング１を押し詰めると、前記の球体が変形され、且つ流体４の流動の経路を形成し、流体４を管状ケーシング１より釈放させるように設定することができる。
【００１４】
図８は、内部添付打開機構有密封容器の第七の実施の形態であり、この実施の形態においては、その内部添付打開機構５には、塞がり部材１６を有し、それを折り曲げると、その切り裂き部１７において二つの部分になるように切れてしまうことがあり、その塞がり部材１６には少なくとも一つまたは一つ以上の孔部同士１８を有し、当該孔部１８が前記の塞がり部材１６のそれぞれの端部より延伸して前記の切り裂き部１７を貫通するが、その塞がり部材１６の他端部を貫通しないように設定される。図９に示すように、その塞がり部材１６の存在する部位またはその近傍の部位で前記のケーシング１を折り曲げると、その塞がり部材１６が切り裂き部１７の箇所で二つの部分になるように分裂され、且つ一つまたは複数の流体４の流動経路同士を形成し、流体４を案内してケーシング１の開口端３の外方へ流出させることができる。他に、その塞がり部材１６として、ツイストされる場合に切り裂き、または分離するような機能を有する打開装置を使用してもよく、操作者はそのような打開装置の存在する箇所でその管状のケーシングをツイストすると、流体の流動経路を打開できるようになる。また、前記の管状ケーシング１が二つの部分からなるようにしてもよく、それらは、塞がり部材１６の存在する箇所でそれらの二つの部分同士をきつく螺旋加工し、そのため、前記の管状ケーシング１をツイストする場合では、塞がり部材１６を二部分となるように分離させることができる。
【００１５】
図１０は、内部添付打開機構有密封容器の第八の実施の形態であり、この実施の形態においては、前記の内部添付打開機構５には、円柱状部材１９を有し、そのウエスト部の径が縮径され、そのウエスト部２０の二つの末端部同士２１が管状ケーシング１の内径とほぼ同じような仕様に設定されている。前記の円柱状部材１０は、その軸方向においては通孔２２を有し、それが、流体４から管状ケーシング１の開口端３までの流体の流動経路を形成する。また、細長い部材２３を有し、それが管状ケーシング１の密封端２に固着され、且つ円柱状部材１９の穿孔２２まで延伸し、前記の穿孔２２と流体の流動経路とを封止する。前記の円柱状部材１９の箇所でまたはその近傍で前記の管状ケーシング１を折り曲げる場合に、前記の細長い部材２３が前記の円柱状部材１９内の孔部２２より抜き出され、通孔２２と流体の流動経路を打開し、図１１に示すようであり、流体４が管状ケーシング１の開口端３より釈放させることができる。
【００１６】
図１２は、内部添付打開機構有密封容器の第九の実施の形態を示す説明図であり、この具体的な実施の形態においては、その内部添付打開機構５には、二つの円形の皿状物同士２４，２５を有し、それらの横断面がほぼ管状ケーシング１の内径と同じになり、その厚さが管状ケーシング１の内部へ滑り込めないような仕様に設定され、それらの円形の皿状物同士２４，２５が一つまたは複数の穿孔同士２６，２７を有し、それらの二つの円形の皿状物２４，２５を管状ケーシング１内に位置決め、且つ相互に当接させ、円形の皿状物２４における穿孔２６が他の円形皿状物２５に覆われ、また、円形の皿状物２５の穿孔が前記の円形の皿状物２４に覆われ、そのため、二つの円形の皿状物同士２４，２５内におけるすべての孔部２６，２７がすべて他の円形皿状物２４または２５に封止され、もし、それらの二つの円形の皿状物同士２４，２５の存在する箇所またはそれらの近傍で前記の管状ケーシング１を折り曲げる場合に、その管状ケーシング１が変形し、変形された管状ケーシング１がそれらの二つの円形の皿状物２４，２５とを相互に分離させられ、流体４から管状ケーシング１の開口端３までの流体の流動経路を形成し、図１３に示すようであり、もし、管状のケーシング１をツイストする場合、それらの二つの円形の皿状物同士２４，２５を相互に離脱させられ、流体の流通経路を打開することができる。他に、前記の管状ケーシング１も二つの部分同士からなるようにしてもよく、それは二つの円形の皿状物同士２４，２５の隣接面部に二つの部分をきつく螺旋結合し、そうすると、前記の管状ケーシング１をツイストする場合に、二つの円形の皿状物同士２４，２５を分離させることが出来るようになる。
【００１７】
図１４は、内部添付打開機構有密封容器の第十の実施の形態であり、この実施の形態においては、前記の内部添付打開機構５には、円柱状部材２８を有し、その長さの程度が管状ケーシング１の内部へ転落することを防止できるぐらいの程度に設定され、また、前記の円柱状部材２８が対角に沿って二つの半分部分に分けられるように設定され、それには、対角に沿った切り裂き２９が形成され、一端から他端までの対角に沿って成形され、その中では、ある薄片３０がその円柱状部材２８の切り裂き２９を封止し、管状ケーシング１内の流体４を密封する。図１５に示すように、前記の管状ケーシング１を押し詰める場合に、且つ円柱状部材２８を圧縮する場合に、前記の円柱状部材２８の対角に沿った分割される二つの半分部分が相対的に滑走し、且つ相互に当接しあい、円柱状部材２８の断面積を縮減するように作用し、その円柱状部材２８の外表面と管状ケーシング１の内壁との間に流体の流動する経路を形成し、流体４を管状ケーシング１の開口端３より釈放させるようにする。
【００１８】
図１６は、内部添付打開機構有密閉容器の第一の実施の形態を示す説明図であり、この実施の形態においては、その内部添付打開機構５には、応用部材３１が配設され、その中間段落近傍の径が管状ケーシング１の内径とほぼ同じに形成され、前記の応用部材３１の第一の末端部３３として二つの対応し合う分岐部に形成されるものを使用し、それらの分岐部同士が取っ手状に形成され、二つの分岐部が力を受けて圧着されることができるように処理され、また、前記の応用部材３１の第二の末端部３４は、その横断面が管状ケーシング１の内径より小さく設定され、且つその第二の末端部３４から二分岐部まで、第一の末端部３３の箇所で接合され、その近傍では切り裂き部３５が形成され、前記の管状ケーシング１を押し詰める場合に、その二分岐部を圧着することによって、応用部材３１を縦方向に沿って切り裂き部３５へ向かって二つの半分部分となるように切り裂かせ、且つ応用部材３１を通過する流体の流動経路を形成させ、流体４を管状ケーシング１より釈放させることができるようになる。図１７に示すようである。
【００１９】
図１８は内部添付打開機構有密封容器の第十二の実施の形態であり、この実施の形態においては、前記の内部添付打開機構５には、細長いコップ状物３６を有し、その径が管状ケーシング１の内径とほぼ同じに設定され、且つその長さがその径より大きく形成され、その細長いコップ状物３６のある端部が封止端３７となり、その封止端３７の尾端部には細長い突出物が形成され、その細長い突出物の周りには一回りの切り裂き線３８が形成され、その切り裂き線３８を介して細長い突出物を折り切れさせることができ、細長いコップ状物３６の封止端３７に開口を形成させることができる。また、細長いコップ状物３６を管状ケーシング１の内部に差し込む場合に、管状ケーシング１内の流体を密封すれば、図１９に示すように、その細長いコップ状物３６の封止端３７近傍で管状ケーシング１を折り曲げると、細長い突出物が切り裂き線３８の箇所で細長いコップ状物３６と切れるようになり、流体の流動経路を暴露させ、流体４を管状ケーシング１の開口端３より釈放させることができる。
【００２０】
前記の多くの特定のテクニックを説明したが、それらのものは本発明の範疇を限定するものとして見なすことはできなく、それらは単に本発明のある優れる実施の形態を掲げたものに過ぎなく、本発明の範疇とその合法的な等価物が本発明の請求の範囲の内容の要旨に準じるべきであり、それは言うまでもないことである。
【産業上の利用可能性】
【００２１】
本発明の提供する内部添付打開機構有密封容器と他の従来技術と相互に比較する場合では、さらに下記のような複数の優れる点を有するようになっている：
（１）本発明は、打開機構を介して流体を管状ケーシングの内部に保存するものであるので、操作者は単にその打開機構を操作すれば、その液体を管状ケーシング外へ釈放させることができる。
（２）本発明は、操作が簡単的であり、且つ組立が便利的であり、且つ携帯に便利的であるなどの複数の優れる点を有している。
【００２２】
また、前記に詳細に説明したのは、単に本発明の実施可能な実施例に過ぎなく、本発明の主張範囲を狭義的に制限するものではなく、本発明の技術的要旨に基づいて実施される相同の効果を有する他の改造や変更や一部転用などのものもすべて本発明の主張範囲内に納入されるべきことが言うまでもないことである。
【００２３】
前記に説明したように、本発明は、技術思想が新たな創作のものを有しつつ、従来物より前記の多くの効果性を向上できるので、既に新規性と進歩性を有すべく法定の特許の要件に該当するので、法に従って出願を提起するが、ご査察の上、早期に公開されるよう宜しくお願い申し上げます。
【図面の簡単な説明】
【００２４】
【図１】本発明の内部添付打開機構有密封容器の第一の実施の形態を示す説明図である。
【図２】本発明の内部添付打開機構有密封容器の第二の実施の形態を示す説明図である。
【図３】本発明の内部添付打開機構有密封容器の第三の実施の形態を示す説明図である。
【図４】本発明の内部添付打開機構有密封容器の第四の実施の形態を示す説明図である。
【図５】本発明の内部添付打開機構有密封容器の第五の実施の形態を示す説明図である。
【図６】本発明の内部添付打開機構有密封容器の第六の実施の形態を示す説明図である。
【図７】図６の動作を示す説明図である。
【図８】本発明の内部添付打開機構有密封容器の第七の実施の形態を示す説明図である。
【図９】図８の動作を示す説明図である。
【図１０】本発明の内部添付打開機構有密封容器の第八の実施の形態を示す説明図である。
【図１１】図１０の動作を示す説明図である。
【図１２】本発明の内部添付打開機構有密封容器の第九の実施の形態を示す説明図である。
【図１３】図１２の動作を示す説明図である。
【図１４】本発明の内部添付打開機構有密封容器の第十の実施の形態を示す説明図である。
【図１５】図１４の動作を示す説明図である。
【図１６】本発明の内部添付打開機構有密封容器の第十一の実施の形態を示す説明図である。
【図１７】図１６の動作を示す説明図である。
【図１８】本発明の内部添付打開機構有密封容器の第十二の実施の形態を示す説明図である。
【図１９】図１８の動作を示す説明図である。
【符号の説明】
【００２５】
１        細長い管状ケーシング
２        密封端
３        開口端
４        流体
５        打開機構
６        ガイド部材
７        ガイド部材
８        円柱体
９        細長い突出物
１０      中空状円柱体
１１      開口端
１２      細長い部材
１３      断面
１４      第二の細長い部材
１５      コップ状物
１６      塞がり部材
１７      切り裂き部
１８      孔部
１９      円柱状部材
２０      ウエスト部
２１      末端部
２２      穿孔
２３      細長い部材
２４      円形の皿状物
２５      円形の皿状物
２６      穿孔
２７      穿孔
２８      円柱状部材
２９      切り裂き
３０      薄片
３１      応用部材
３２      中間段落部
３３      第一の末端部
３４      第二の末端部
３５      切り裂き部
３６      細長いコップ状物
３７      封止端
３８      切り裂き線
【図１】
2006511408.tif 000003
【図２】
2006511408.tif 000004
【図３】
2006511408.tif 000005
【図４】
2006511408.tif 000006
【図５】
2006511408.tif 000007
【図６】
2006511408.tif 000008
【図７】
2006511408.tif 000009
【図８】
2006511408.tif 000010
【図９】
2006511408.tif 000011
【図１０】
2006511408.tif 000012
【図１１】
2006511408.tif 000013
【図１２】
2006511408.tif 000014
【図１３】
2006511408.tif 000015
【図１４】
2006511408.tif 000016
【図１５】
2006511408.tif 000017
【図１６】
2006511408.tif 000018
【図１７】
2006511408.tif 000019
【図１８】
2006511408.tif 000020
【図１９】
2006511408.tif 000021
【国際調査報告】
2006511408.tif 000022
2006511408.tif 000023
2006511408.tif 000024